(57)【要約】【課題】指先を痛めるおそれがなく、容易に開封でき、しかも意図しない開封をより確実に防止し得る易開封性包装袋を提供する。【解決手段】フィルムを貼り合わせたシール部に易開封部を有する易開封性包装袋であって、易開封部は微小な切り込みが開封方向に複数並んだ切り込み列からなり、切り込み列は前記シール部外側の第１切り込み、前記第１切り込みから第１間隔を空けて配置される第２切り込み、及び前記第２切り込みから第２間隔を空けて配置される第３切り込みを有し、前記第１間隔が前記第２間隔よりも広いことを特徴とする。【選択図】図１
2011006107.tif 000002
【特許請求の範囲】
【請求項１】
フィルムを貼り合わせたシール部に易開封部を有する易開封性包装袋であって、
前記易開封部は微小な切り込みが開封方向に複数並んだ切り込み列からなり、該切り込み列は前記シール部外側の第１切り込み、前記第１切り込みから第１間隔を空けて配置される第２切り込み、及び前記第２切り込みから第２間隔を空けて配置される第３切り込みを有し、
前記第１間隔の開封方向の長さが前記第２間隔の開封方向の長さよりも広いことを特徴とする易開封性包装袋。
【請求項２】
前記第２切り込みの開封方向の長さが、前記第３切り込みの開封方向の長さよりも長いことを特徴とする請求項１に記載の易開封性包装袋。
【請求項３】
前記第１間隔が、前記第３切り込みの開封方向の長さよりも広いことを特徴とする請求項１または２に記載の易開封性包装袋。
【請求項４】
前記切り込み列が、前記シール部の長手方向に複数並んで配置されることを特徴とする請求項１乃至３のいずれかの項に記載の易開封性包装袋。
【請求項５】
隣り合う前記切り込み列の前記シール部の長手方向の間隔が、前記第２間隔の開封方向の長さよりも広いことを特徴とする請求項４に記載の易開封性包装袋。
【発明の詳細な説明】
【技術分野】
【０００１】
本発明は、シール部に易開封部を設けた易開封性の包装袋に関する。
【背景技術】
【０００２】
従来から、パウチを開封するために、シール部の開封開始位置に外縁側からの切り込みや、Ｖ字状などに切り欠いた開封ノッチを設けた易開封性包装袋が知られている。
しかし、これらの開封ノッチは、フィルムのエッジで指先を痛めたり、開封ノッチを引っかけて意図せず開封してしまったりするおそれがあった。
この課題を解決する手段として、従来から特許文献１乃至４に記載のような、シール部の外端縁に微小な切り込みや傷を多数形成する技術が提案されている。
【先行技術文献】
【特許文献】
【０００３】
【特許文献１】特開２００２−１２８０９７号公報
【特許文献２】特開２００４−３１４９８５号公報
【特許文献３】特開２００７−０２２６１２号公報
【特許文献４】特開２００８−０５００１２号公報
【発明の概要】
【発明が解決しようとする課題】
【０００４】
このうち、特許文献１は、シール部の外端縁に複数の微小な切り込みが設けられており、指先を痛めるおそれがなく、容易に開封を開始できる構成となっているものの、外端縁だけなので開封する際の抵抗が大きい。一方、特許文献２、３、４に記載のものは、シール部の外端部だけでなく、シール部の中途位置まで切り込みが形成されており、開封が容易にできる構成となっている。しかし、消費者等がパウチの上端をつまんで持ち上げた時などに、切り込み部分に不規則な応力が作用し、切り込み部分が裂けて意図しない開封が起こるおそれがあった。
本発明は、上記した従来技術の問題点を解決するためになされたもので、その目的とするところは、指先を痛めるおそれがなく容易に開封でき、しかも意図しない開封をより確実に防止し得る易開封性包装袋を提供することにある。
【課題を解決するための手段】
【０００５】
上記目的を達成するために、本発明は、フィルムを貼り合わせたシール部に易開封部を有する易開封性包装袋であって、
前記易開封部は微小な切り込みが開封方向に複数並んだ切り込み列からなり、切り込み列は、前記シール部外側の第１切り込みと、第１切り込みから第１間隔を空けて配置される第２切り込みと、第２切り込みから第２間隔を空けて配置される第３切り込みとを有し、前記第１間隔が前記第２間隔よりも広いことを特徴とする。
【０００６】
また、本発明においては、
１．前記第２切り込みの開封方向の長さが、前記第３切り込みの開封方向の長さよりも長いこと、
２．第１間隔が、前記第３切り込みの開封方向の長さよりも広いこと、
３．切り込み列が、前記シール部の長手方向に複数並んで配置されること、
４．隣り合う前記切り込み列の間隔が、前記第２間隔よりも広いこと、
が好ましい。
【発明の効果】
【０００７】
本発明によれば、シール部外側に位置する第１切り込みが微小な切り込みによって構成されているので、指先を痛めるおそれがない。
また、切り込み列は、開封方向に第１切り込みから第３切り込みまで有しているので、軽い力で開封することができる。さらに、シール部の長手方向に力が作用しても、第１から第３切り込みの間に位置する切り込みの無い第１、第２間隔の部分で荷重が支持されるので、引っ張り強度が高く、切り込みが破断するおそれがない。
特に、第１間隔が第２間隔よりも広くなっているので、開封する際には、第１間隔部分をやや強い力で引き裂こうとするため、その勢いで短い第２間隔が素早く引き裂かれ、結果として軽い力で開封できたように感じる。
【０００８】
また、第２切り込みを第３切り込みより長くしておくと、第２間隔への引き裂きがさらにスムーズに誘導される。
また、第１間隔を第３切り込みの開封方向の長さよりも広くしておけば、切り込み列の間隔が広いことで、シール部の長手方向の引っ張り強度がさらに強くなり、不用意な開封をより確実に防止できる。
また、切り込み列を複数列設けることで、おおよその位置で引き裂くだけで、いずれかの切り込み列を引き裂くことができるので、開封作業が容易となる。
さらに、隣り合う切り込み列の間隔を、第２間隔よりも広くしておけば、シール部の長手方向に対する引っ張り強度がより一層強くなる。
【図面の簡単な説明】
【０００９】
【図１】図１（Ａ）は、本発明の実施例に係る易開封性包装袋の易開封部を拡大して示す図、同図（Ｂ）は同図（Ａ）の一つの切り込み列の断面図、同図（Ｃ）は易開封部の切り込み列の寸法関係の好適例を示す図である。
【図２】図２（Ａ）は、図１の易開封部を備えた易開封性包装袋の全体構成を示す図、（Ｂ）は易開封部を左右の側面シール部に設けた例を示す易開封性包装袋の部分図である。
【図３】図３は、図１の易開封部の開封手順を示す説明図である。
【図４】図４は、切り込み列及び切り込みの他の構成例を示す図である。
【発明を実施するための形態】
【００１０】
以下に本発明を図示の実施例に基づいて詳細に説明する。
図２は本発明の実施例に係る易開封性包装袋を示している。
この易開封性包装袋１０は長方形状の平パウチで、一対のフィルム１１，１１の重ね合わされた左右の側辺部、底辺部を所定の幅で熱溶着して側辺シール部１２、１２及び底辺シール部１３が設けられた構成となっており、上辺部については、内容物を充填した後、熱溶着して上辺シール部１４が形成され、側辺シール部１２，１２、底辺シール部１３及び上辺シール部１４によって、内容物の収納部１５が構成されている。
包装袋を構成するフィルムとしては、熱溶着可能な熱可塑性樹脂からなる単層フィルムでもよいし、溶着面を熱可塑性樹脂とする積層フィルムでもよく、熱溶着可能な種々の材料が適用可能である。
【００１１】
そして、一方の側辺シール部１２に、袋を開封するための易開封部２が設けられている。この実施例では、封止された袋上部を開封するもので、開封方向は、側辺シール部１２に対して直交方向であり、上辺シール部１４に対して平行方向である。図示例では、開封方向として、二点鎖線によって開封予定線Ｘを描いている。この開封予定線Ｘは仮想線であり、特にミシン目などの加工線があるわけではなく、この線上に沿って開封されるわけではない。もちろん、開封予定線Ｘに沿って弱め線等を形成しておいてもよい。
【００１２】
易開封部２は、図２（Ａ）では一方の側辺シール部１２のみに設けられているが、図２（Ｂ）に示すように、左右どちらからも開封できるように、左右両方の側辺シール部１２に設けることもできる。
易開封部２の構成は、微小な切り込みが開封方向に複数並んだ切り込み列２０を備えた構成となっている。切り込み列２０は、側辺シール部１２の長手方向に所定間隔ｈを隔てて複数列、この実施例では５列設けられている。図示例では、開封予定線Ｘを中央の切り込み列２０に合わせて描いているが、開封は、いずれかの切り込み列２０から開始されるもので中央の切り込み列２０とは限らない。
【００１３】
各切り込み列２０は同一の寸法形状で、図１に拡大して示すように、側辺シール部１２外側の第１切り込み２１と、第１切り込み２１から第１間隔３１を空けて配置される第２切り込み２２と、第２切り込み２２から第２間隔３２を空けて配置される第３切り込み２３とを有している。これら第１乃至第３切り込み２１、２２，２３は、側辺シール部１２を貫通する構成で、それぞれ開封方向に沿って延びる直線形状で、開封予定方向に沿った一つの直線上に配列されている。第１乃至第３切り込み２１，２２、２３は、必ずしも貫通している必要はなく、貫通していなくても、開封のきっかけとなる初期破断部を手指で形成可能な構成となっていればよい。また、第１切り込み２１については、側辺シール部１２の外端縁に達していることが好適であるが、外端縁に届かなくてもよい。
【００１４】
次に、切り込み列２０の寸法関係について説明する。
この実施例では、切り込み列２０の第１間隔３１の開封方向の長さＧ１が第２間隔３２の開封方向の長さＧ２よりも広く（Ｇ１＞Ｇ２）、第２切り込み２２の開封方向の長さＬ２は、第３切り込み２３の開封方向の長さＬ３よりも長い（Ｌ２＞Ｌ３）。また、第１間隔３１の開封方向の長さＧ１は、第３切り込み２３の開封方向の長さＬ３よりも広くなっている（Ｇ１＞Ｌ３）。さらに、隣り合う切り込み列２０の側辺シール部１２の長手方向の間隔ｈは、前記第２間隔３２の開封方向の長さＧ２よりも広くなっている（ｈ＞Ｇ２）。
【００１５】
上記寸法関係の範囲で、第１切り込み２１の開封方向の長さＬ１は、０．０５〜１ｍｍ程度、第２切り込み２２の開封方向の長さＬ２は０．１〜２ｍｍ程度、第３切り込み２３の開封方向の長さＬ３は、０．１〜１ｍｍ程度、第１間隔３１の開封方向の長さＧ１は、０．１〜２ｍｍ、第２間隔３３２の開封方向の長さＧ２は、０．０５〜１ｍｍ程度とすることが好ましい。
たとえば、第１切り込み２１の開封方向の長さＬ１を、０．２５ｍｍ、第２切り込み２２の開封方向の長さＬ２を、０．７ｍｍ、第３切り込み２３の開封方向の長さＬ３を、０．３ｍｍ、第１間隔３１の開封方向の長さＧ１を、０．５ｍｍ、第２間隔３２の開封方向の長さＧ２を、０．３ｍｍ、切り込み列２０全体の長さを、２．０５ｍｍ程度とすることが好適である。また、各切り込み列２０間の側辺シール部１２の長手方向の間隔ｈを１ｍｍとすることが好ましい。側辺シール部１２の幅Wは５ｍｍであり、図１（Ｃ）は、この
寸法関係を反映した図である。
【００１６】
上記包装袋の易開封部２の成形は、パウチとして製袋される長尺フィルムに予め加工してもよいし、製袋時に加工してもいいし、製袋後のパウチに後加工してもよい。
また、切り込み列２０の加工方法としては、ロール表面の所定位置に刃物（ないし砥石）を設けて連続的に加工してもよいし、プレス状の工具に刃物を取り付けて間欠的に加工してもよい。
【００１７】
次に、上記構成の易開封包装袋の易開封部の作用について説明する。
側辺シール部１２の外端縁にあっては、第１切り込み２１の長さＬ１は微小であり、第１切り込み２１に触れたとしても、指先を傷めるおそれがない。また、運搬時等において
、第１切り込み２１に引っ掛かって異常に開封するおそれもない。
また、包装袋を持ち上げ際に、側辺シール部１２の長手方向に引っ張り荷重が作用したとしても、この引っ張り荷重は、第１切り込み２１と第２切り込み２２の間の、非切り込み部である第１間隔３１、第２切り込み２２と第３切り込み２３の間の非切り込み部である第２間隔３２において支持され、引っ張り荷重による断裂は防止される。
【００１８】
次に、開封作業について説明する。
開封作業は、図３に示すように、易開封部２の一つの切り込み列２０を挟んで、側辺シール部１２の外端縁を互いに逆向きにひねるように力を加え、切り込み列２０にせん断力を作用させる。
切り込み列２０が複数列あるので、おおよその位置で引き裂くだけで、いずれかの切り込み列２０が破断される。図示例では、中央の切り込み列２０が破断される場合を示している。
まず、第１切り込み２１の両端縁が互いに逆向きに開き、第１切り込み２１と第２切り込み２２の間の第１間隔３１の部分にせん断力が作用し、第１間隔３１の部位が引き裂かれ、第２切り込み２２が開く（図３（Ａ）、（Ｂ）参照）。
【００１９】
次に、第２間隔３２にせん断力が集中して作用し、第２間隔３２が第３切り込み２３まで引き裂かれ、第３切り込み２３が開く（図３（Ｂ）、（Ｃ）参照）。
さらに、第３切り込み２３から側辺シール部１２の内端まで引き裂かれ、側辺シール部１２が全幅にわたって引き裂かれると共に、せん断力が作用する方向に収納部１５のフィルム部が引き裂かれ、ほぼ開封予定線Ｘに沿って他方の側辺シール部１２まで連続して破断される。
初期破断の段階で、第１切り込み２１から第３切り込み２３まで、第１、第２間隔３１、３２を切断するだけなので、全体として軽い力で開封することができる。
特に、第１間隔３１が第２間隔３２よりも広くなっているので、開封する際には、第１間隔３１の部分をやや強い力で引き裂こうとするため、その勢いで短い第２間隔３２の部分が素早く引き裂かれ、結果として軽い力で開封できたように感じることになる。
【００２０】
また、第２切り込み２２が第３切り込み２３より長くなっているので、第２間隔３２への引き裂きがさらにスムーズに誘導される。
また、第１間隔３１の開封方向の長さＧ１が第３切り込み２３の開封方向の長さＬ３よりも広くなっているので、上下の引っ張り強度がさらに強くなり、不用意な開封をより確実に防止できる。
さらに、隣り合う切り込み列２０の間隔ｈが、第２間隔３２の開封方向の長さＧ２よりも広くなっているので、側辺シール部１２の長手方向に対する引っ張り強度がより一層強くなっている。
【００２１】
他の実施例
上記実施例では、切り込み列は、第１乃至第３切り込み２１，２２，２３の３つ切り込みによって構成されているが、第３切り込み２３よりもさらに側面シール部１２の内端寄りに、追加的に切り込みを設けてもよい。このようにすれば、サイドシール部をより簡単に切断することができる。
また、上記実施例では、袋上部を横方向に切断する場合について説明したが、開封する箇所に応じて、縦方向に開封するものでもよいし、斜め方向に開封するものでもよい。たとえば、上辺シール部１４から縦方向に切断する場合には、上辺シール部１４に対して直交方向に設ければよいし、袋の角を切断する場合には、切り込み列２０を、側面シール部１２または上辺シール部１４に、斜めに形成すればよい。
【００２２】
また、切り込み列２０及び切り込み列を構成する切り込みの方向は、全体として開封方
向に合致していればよく、開封方向に対して傾斜させたり千鳥状の配置としたりすることができる。
傾斜して設けられている場合には、その開封方向の長さの関係は、図４（Ａ）に示すように、開封方向に沿った成分で評価するものとする。
【００２３】
各切り込みの形状は直線的の切れ目に限らず、例えば図４に示すように、湾曲した切れ目（図４（Ｂ））、屈曲した切れ目（図４（Ｃ））、「×」形状（図４（Ｄ））、「＞」形状（図４（Ｅ））、「＞」「−」など複数の切れ目を組み合わせた形状（図４（Ｆ））、あるいはこれらの向きを入れ換えたもの、丸形の孔（図４（Ｇ））、菱形の孔（図４（Ｈ））、楔形状の孔（図４（Ｉ））などとしてもよい。
なお、本発明が適用される易開封性包装袋の形態としては、図示した平パウチの他、スタンディングパウチ、３方シールパウチ、背貼りパウチ、ガセットパウチなど、公知の様々な形態のパウチに適用できることはもちろんである。
【符号の説明】
【００２４】
２    易開封部
１０  易開封性包装袋
１１  フィルム
１２  側辺シール部
１３  底辺シール部
１４  上辺シール部
１５  収納部
２０  切り込み列
２１  第１切り込み
２２  第２切り込み
２３  第３切り込み
３１  第１間隔
３２  第２間隔
Ｘ     開封予定線
ｈ     切り込み列間の間隔
Ｇ１  第１間隔の開封方向長さ
Ｇ２  第２間隔の開封方向長さ
Ｌ１  第１切り込みの開封方向長さ
Ｌ２  第２切り込みの開封方向長さ
Ｌ３  第３切り込みの開封方向長さ
【図１】
2011006107.tif 000003
【図２】
2011006107.tif 000004
【図３】
2011006107.tif 000005
【図４】
2011006107.tif 000006